(57)【要約】【課題】少ない動作で簡単に浴水を洗濯機に取り込むことができ、しかも、取水ホース収納時において、取水ホースを伝って落ちる水を大幅に減らすことのできる風呂蓋を提供する。【解決手段】浴槽７の上端部に載置される板状をした蓋本体１で主体が構成されている。蓋本体１に上下に貫通するように、上方から洗濯機Ｂの浴水導入用の取水ホース２が接続可能とされた貫通孔３が穿設されている。長手方向に伸縮自在でその長手方向の一端が貫通孔３に接続されて内部が貫通孔３と連通し、長手方向に収縮した状態で収納されると共に長手方向に伸張した状態で長手方向の他端が浴水中に浸漬される吸込みホース４が設けられる。吸込みホース４を長手方向に収縮させて貫通孔３に収納した状態を保持する保持手段５が設けられる。また、貫通孔３を開閉自在に閉塞する開閉体６が設けられる。【選択図】        図１
2011024915.tif 000002
【特許請求の範囲】
【請求項１】
浴槽の上端部に載置される板状をした蓋本体と、蓋本体に上下に貫通するように穿設され上方から洗濯機の浴水導入用の取水ホースが接続可能とされた貫通孔と、長手方向に伸縮自在でその長手方向の一端が貫通孔に接続されて内部が貫通孔と連通し、長手方向に収縮した状態で収納されると共に長手方向に伸張した状態で長手方向の他端が浴水中に浸漬される吸込みホースと、吸込みホースを長手方向に収縮させて貫通孔に収納した状態を保持する保持手段と、貫通孔を開閉自在に閉塞する開閉体とを備えて成ることを特徴とする風呂蓋。
【請求項２】
前記開閉体が、取水ホースが貫通孔に装着されたときに開き且つ取水ホースが貫通孔から離脱されたときに閉じるように構成された請求項１記載の風呂蓋。
【請求項３】
前記保持手段が、取水ホースが貫通孔に装着されることで収納された吸込みホースの保持状態を解除するように構成された請求項１又は請求項２のいずれかに記載の風呂蓋。
【請求項４】
前記吸込ホースが、浴水中に浸漬される他端側の先端部分にフィルターを備えた請求項１乃至請求項３のいずれか一項に記載の風呂蓋。
【発明の詳細な説明】
【技術分野】
【０００１】
本発明は、浴槽に載置される風呂蓋に関するものである。
【背景技術】
【０００２】
従来から、浴槽には風呂蓋が使用される（例えば、特許文献１参照）。風呂蓋は、浴槽内に浴水が貯溜されている場合には、常時設置されたままであることがほとんどである。
【０００３】
また、使用後の浴水は洗濯に再利用されている。洗濯機には浴水導入用の取水ホースが設けられており、この取水ホースによって洗濯機内に浴水を取り込んで、浴水を再利用できるようになっている。
【０００４】
通常、浴室とは別の場所に脱衣室が設けられており、この脱衣室に洗濯機が設けられている。
【先行技術文献】
【特許文献】
【０００５】
【特許文献１】特開２００９−２８２６６号公報
【発明の概要】
【発明が解決しようとする課題】
【０００６】
ところで、上述したように、浴水が貯溜された浴槽には入浴時を除いてほぼ常に風呂蓋が設置されているため、浴水を洗濯機に取り込もうとする時においても、浴槽には風呂蓋が設置された状態となっている。このため、洗濯機に浴水を取り込むに当たっては、洗濯機の取水ホースを脱衣室から浴室内に持ち入り、浴槽に設置された風呂蓋を持ち上げたり移動させたりして浴槽に取水ホースを挿通できる状態とし、その後、浴槽上方から取水ホースの先端を挿通して、取水ホースを浴水中に浸漬するようにしていた。この一連の動作のなかで特に、取水ホースを片手で持ちながらもう一方の手で風呂蓋を持ち上げたり移動させたりするという作業は、面倒なものであった。
【０００７】
また、洗濯機に浴水を取り込んだ後には、先端を浴水中に浸漬した取水ホースを再び洗濯機に収納する必要がある。しかし、取水ホースの先端は浴水中に浸漬されていたため、取水ホースには大量の水が付着した状態となっている。このため、脱衣室内にこの大量の水が付着した取水ホースを持ち込むと、取水ホースに付着した水が脱衣室の床に大量に滴り落ちてしまい、周辺を汚してしまうという問題もあった。
【０００８】
本発明は、上記の問題に鑑みてなされたものであり、その目的とするところは、少ない動作で簡単に浴水を洗濯機に取り込むことができ、しかも、取水ホース収納時において、取水ホースを伝って落ちる水を大幅に減らすことのできる風呂蓋を提供することにある。
【課題を解決するための手段】
【０００９】
上記課題を解決するために本発明の風呂蓋は以下の構成を備えている。
【００１０】
すなわち、請求項１に係る本発明の風呂蓋は、浴槽７の上端部に載置される板状をした蓋本体１で主体が構成されている。蓋本体１に上下に貫通するように、上方から洗濯機Ｂの浴水導入用の取水ホース２が接続可能とされた貫通孔３が穿設されている。長手方向に伸縮自在でその長手方向の一端が貫通孔３に接続されて内部が貫通孔３と連通し、長手方向に収縮した状態で収納されると共に長手方向に伸張した状態で長手方向の他端が浴水中に浸漬される吸込みホース４が設けられる。吸込みホース４を長手方向に収縮させて貫通孔３に収納した状態を保持する保持手段５が設けられる。また、貫通孔３を開閉自在に閉塞する開閉体６が設けられる。
【００１１】
このような構成によれば、風呂蓋が浴槽７に設置された状態のままであっても、該風呂蓋を持ち上げたり移動させたりせずに、簡単に浴水を洗濯機Ｂに取り込むことができる。つまり、蓋本体１には、浴水に浸漬される吸込みホース４が設けられると共に、上方から洗濯機Ｂの取水ホース２が接続可能とされた貫通孔３が穿設されているから、風呂蓋が設置された状態であっても取水ホース２を貫通孔３に接続するだけでよい。また、吸込みホース４が長手方向に収縮可能とされているうえに、この吸込みホース４は貫通孔３に収納可能とされており、さらにこの収納状態を保持する保持手段５が設けられているから、吸込みホース４を使用しないときには、この吸込みホース４を目立たないように収納しておくことが可能である。また、このように貫通孔３が設けられていても、この貫通孔３を閉塞する開閉体６が設けられているから、蒸発した浴水が貫通孔３を通って浴室内に漏れてしまったり、風呂蓋の保温効果を低下させてしまったりすることが防止される。
【００１２】
また、請求項２に係る風呂蓋は、請求項１に係る風呂蓋において、前記開閉体６が、取水ホース２が貫通孔３に装着されたときに開き且つ取水ホース２が貫通孔３から離脱されたときに閉じるように構成されている。
【００１３】
このような構成によれば、取水ホース２を貫通孔３に装着するだけで貫通孔３を開放させることができるため、洗濯機Ｂに浴水を取り込むに当たって、開閉体６を開いて貫通孔３を開放させる動作を省くことができる。また、取水ホース２を貫通孔３から離脱させるだけで開閉体６を閉じることができるため、取水ホース２を離脱した後に開閉体６を閉じる作業を行なう必要がない。この結果、開閉体６の設置し忘れや開閉体６の紛失を防ぐことができる。
【００１４】
また、請求項３に係る風呂蓋は、請求項１又は請求項２のいずれかに係る風呂蓋において、前記保持手段５が、取水ホース２が貫通孔３に装着されることで収納された吸込みホース４の保持状態を解除するように構成されている。
【００１５】
このような構成によれば、吸込みホース４が収納された状態のままであっても、例えば風呂蓋を持ち上げて吸込みホース４を取り出したりする必要がなく、取水ホース２を貫通孔３に装着するだけで吸込みホース４を使用可能な状態とすることができる。
【００１６】
また、請求項４に係る風呂蓋は、請求項１乃至請求項３のいずれか一項に係る風呂蓋において、前記吸込ホースが、浴水中に浸漬される他端側の先端部分にフィルター４５を備えている。
【００１７】
このような構成によれば、浴水と共に、浴水中のごみや糸くずなどが洗濯機Ｂに取り込まれてしまうことを防止できる。また、フィルター４５が吸込みホース４の先端に設けられているため、吸込みホース４が、収納された状態かまたは取り出された状態かに拘らず、簡単にフィルター４５の掃除を行なうことが可能となる。
【発明の効果】
【００１８】
本願発明によれば、浴水を洗濯機に取り込むに当たり、少ない動作で簡単に行なうことができる。しかも、取水ホースが直接浴水中に浸漬しないようになっているため、取水ホース収納時において、取水ホースを伝って流れ落ちる水を格段に減らすことができる。
【図面の簡単な説明】
【００１９】
【図１】本発明の一実施形態の風呂蓋に取水ホースが取り付けられた状態を示す要部側断面図である。
【図２】同上の風呂蓋の要部側断面図である。
【図３】本発明の一実施形態の風呂蓋の使用例を示し（ａ）は浴室ユニットの側面図であり（ｂ）は浴室ユニットの上面図である。
【発明を実施するための形態】
【００２０】
以下、本発明について添付図面に基づいて説明する。
【００２１】
図１及び図２には本発明の風呂蓋Ａの一実施形態を示している。また、この本実施形態の風呂蓋Ａを設置した状態（風呂蓋Ａによって浴槽７の開口を閉塞した状態）の使用例を図３に示している。以下、この風呂蓋Ａの設置状態に応じて説明する。
【００２２】
本実施形態の風呂蓋Ａは、図３（ａ）に示されるように、浴槽７の上端に設置されて、浴槽７の上方開口を閉塞するようにして使用される。
【００２３】
風呂蓋Ａは、図１に示されたように、浴槽７の上端部に載置される板状をした蓋本体１で主体が構成されている。この蓋本体１には、蓋の上下（厚み方向）に貫通する貫通孔３が穿設されている。この貫通孔３の内周端面には、貫通孔用部材８が配設されている。この貫通孔用部材８には、先端が浴槽７の浴水中に浸漬されると共に該貫通孔３と内部が連通する長手方向に伸縮自在な吸込みホース４が設けられている。
【００２４】
蓋本体１は、図３（ｂ）に示されたように、浴槽７の平面視長手方向に小蓋体１１を２つ並設することで構成されている。この小蓋体１１の対向する端部同士を互いに当接して、蓋本体１が形成される。蓋本体１は、図１などのように、合成樹脂発泡体からなる断熱性芯材１２の上下両面に、アルミニウム又は高湿合成樹脂製の表装材１３を積層一体化して構成されている。また、小蓋体１１の周縁には、滑り止め効果を有するエラストマー製のエッジプロテクターが嵌着されている。
【００２５】
この蓋本体１の一方の小蓋体１１に貫通孔３が穿設されている。貫通孔３は、蓋本体１が浴槽７に設置された状態において上下（表裏）に貫通するようにして穿設される。この貫通孔３の形状は特に限定されないが、本実施形態においては、円形状の貫通孔３となっている。
【００２６】
図１及び図２に示すように、この貫通孔３の内周端縁には貫通孔用部材８が配設されている。この貫通孔用部材８は、断面略コ字形状で且つ平面視円環状で構成されており、貫通孔３の内周端面を覆うようにして嵌着されている。貫通孔用部材８は、蓋本体１の上面（表面）に当接する上フランジ片８１と、該上フランジ片８１に対して略直角方向に連設されて且つ円筒形状をなす筒体部８２と、該筒体部８２の下端から径外方向に突設し蓋本体１の下面（裏面）に当接する下フランジ片８３とを有している。また、貫通孔用部材８の上端部には、径内方向に突設し平面視円環状の内突条８４が設けられている。この内突条８４によって、貫通孔３に取水ホース２を取り付けるための接続口部８５が形成される。
【００２７】
また、筒体部８２の一部が吸込みホース４を内部に収納可能な収納部８６とされている。詳しくは後述するが、図２に示されたように、この収納部８６内に収縮した吸込みホース４が格納されて、蓋本体１の厚み内に吸込みホース４の略全体が収まるようになっている。
【００２８】
筒体部８２の上下方向の中央よりもやや上方には、筒体部８２の内周面全周に亘って内溝部８７が設けられている。内溝部８７における筒体部８２と直角な面であって下方側の面が下係止部８７１とされ、上方側の面が上当接部８７２とされている。この内溝部８７には後述する吸込みホース４の係止突部４１がスライド自在に取り付けられる。つまり、吸込みホース４が下方に引っ張られると、吸込みホース４の係止突部４１が内溝部８７の下係止部８７１と係止して、吸込みホース４が抜け止めされる。一方、吸込みホース４を収納するために、吸込みホース４を下方から上方に向けて押し上げると、吸込みホース４の係止突部４１がスライドしながら上昇し、上当接部８７２と当接する。そのままこの押し上げを継続することにより、吸込みホース４が収縮して収納状態とされる。
【００２９】
内突条８４は、接続口部８５の開口の内径が小さく且つその下方にある筒体部８２の内径が大きくなっている。また、内突条８４の下面が下面視円環状をした開閉体当接面８８となっている。この開閉体当接面８８には、貫通孔３の接続口部８５の開口を塞ぐ開閉体６が設けられている。開閉体６は、開閉体当接面８８と離接自在に設けられている。また、開閉体６は開閉体当接面８８に接触する方向に、ばねからなる弾性体により構成される付勢手段８９により付勢されている。この開閉体６を上方から下方に向けて押圧すると、開閉体当接面８８と当接して閉じられた開閉体６がその付勢力に抗して下降し、開閉体当接面８８と離間する。開閉体６が開閉体当接面８８と離れると、接続口部８５の開口と吸込みホース４の内部とが連通する。
【００３０】
開閉体６は、筒体部８２に対して、開閉体当接面８８と当接する位置から、上当接部８７２よりも下方で且つ下係止部８７１よりも上方となる位置の範囲で移動可能となるように構成される。
【００３１】
吸込みホース４は、長手方向に伸縮自在な蛇腹状のホースで構成されている。この吸込みホース４の一端には、鍔状に径外方向に突出する係止突部４１が突設されている。この係止突部４１は、上述のように、貫通孔用部材８の内溝部８７に上下スライド自在に取り付けられる。
【００３２】
吸込みホース４の他端側は、吸込みホース４が伸張した状態で浴槽７の浴水中に浸漬される吸込み部４２が設けられている。この吸込み部４２は、下面視ドーナツ状をしたキャップ体４３と、キャップ体４３の周縁部から上方に向けて突出した立上り片４４とを備えている。立上り片４４は、図２に示すように、貫通孔用部材８の下フランジ片８３を被嵌する。キャップ体４３の中央の開口は、吸込みホース４の内部と連通している。また、キャップ体４３の内部には、キャップ体４３の開口を塞ぐようにしてフィルター４５が埋設されている。このため、浴水を吸込む際には、フィルター４５を介してゴミや糸くずなどが取り除かれた浴水が吸込まれるようになっている。
【００３３】
キャップ体４３は、浴水中に浸漬されたときに、吸込みホース４が浴水上に浮いてしまわないように、おもりとしての作用も果たしている。つまり、水よりも比重が大きい材料にて形成されている。例えば、塩化ビニル樹脂（ＰＶＣ）やメタクリル樹脂等によって形成される。
【００３４】
キャップ体４３には平面視円環状に磁石が埋設されている。このキャップ体４３に設けられた磁石がホース側保持手段５１を構成する。一方、貫通孔用部材８の下フランジ片８３には、下面視円環状で且つホース側保持手段５１に対応する部位に、ホース側保持手段５１の磁石とは異極の磁石が埋設されている。この下フランジ片８３に埋設された磁石が貫通孔側保持手段５２を構成する。そして、これらのホース側保持手段５１と貫通孔側保持手段５２とで、収納された吸込みホース４を収納状態に保持する保持手段５が構成されている。
【００３５】
なお、この保持手段５は磁石により構成されたものでなくてもよく、例えば、下フランジ片８３に対してキャップ体４３を無理嵌めするようにして保持されたものであってもよい。また、下フランジ片８３とキャップ体４３とが係合するような構造であってもよい。
【００３６】
図１のように、この吸込み部４２は、吸込みホース４が長手方向に伸張すると、浴水中に浸漬されるが、浴槽７底面には接触しない。つまり、吸込みホース４は、伸張状態で浴槽７の底面７１と接しない長さで形成されている。
【００３７】
一方、吸込みホース４が長手方向に収縮すると、図２のように、収縮した吸込みホース４の寸法は、筒体部８２の上当接部８７２とキャップ体４３の上面との間の寸法と同寸法となる。なお、このときの収縮した吸込みホース４は、最も収縮した状態となっており、この状態でさらに上下方向に外力を負荷して収縮させようとしても、これ以上は収縮することができない。
【００３８】
このため、この吸込みホース４が収納された状態において、貫通孔３を閉塞する開閉体６を下方に向けて押圧すると、開閉体６が下降すると共に収縮した吸込みホース４の上端に該開閉体６が当接する。そして、さらに開閉体６の押下を続けると、開閉体６と共に吸込みホース４の上端が下降する。その後、吸込みホース４の上端が下降すると共に保持手段５による保持が解除され、キャップ体４３の荷重と吸込みホース４の自重により、吸込み部４２が下降すると共に吸込みホース４が伸張する。
【００３９】
このように構成された風呂蓋Ａの貫通孔３に設けられた接続口部８５には、洗濯機Ｂの浴水導入用の取水ホース２が接続される。
【００４０】
図１及び図２に示されるように、取水ホース２の洗濯機Ｂとは反対側の先端には、ジョイントヘッド部２１が取り付けられる。このジョイントヘッド部２１は、風呂蓋Ａに接続された状態で開閉体６を下方に押下する押圧部材２２と、被接続体２７とを有している。
【００４１】
押圧部材２２は、開閉体６と当接し下面視円環状の押下片２３と、取水ホース２の先端内側に嵌入する取着片２４と、取着片２４の突出基部に設けられ取水ホース２の先端と当接するホース当接面２５とを備えている。押下片２３は側方に設けられた複数のスリット２６によって側方が開放されている。このため、開閉体６と当接しても、取水ホース２の内部と吸込みホース４の内部とは連通する。
【００４２】
被接続体２７は、大径部２８と小径部２９とを有しており、中央に取水ホース２が挿通される挿通孔が形成されている。図１に示すように、被接続体２７の挿通孔の内壁部と、押圧部材２２の取着片２４とで取水ホース２の端縁を挟持して、取水ホース２にジョイントヘッド部２１が固着される。
【００４３】
小径部２９は、貫通孔用部材８の接続口部８５の開口に嵌入し、水密状態となる。この小径部２９と接続口部８５との接触面にパッキンのような水密材を介在させてもよい。
【００４４】
大径部２８における貫通孔用部材８の内突条８４と当接する面には、Ｌ字状の係止部（図示せず）が設けられている。また、貫通孔用部材８の内突条８４の上端面には係止孔（図示せず）が設けられており、前記係止部を係止孔に挿通したうえで、大径部２８を周方向に回転させると貫通孔用部材８とジョイントヘッドとが係合するような構成となっている。
【００４５】
このように構成された本実施形態の風呂蓋Ａの動作を説明する。
【００４６】
通常の状態では、図２に示すように、吸込みホース４が、収縮された状態で蓋本体１の厚み内に収納された状態となっている。このとき、開閉体６は貫通孔３を閉塞した状態となっている。このため、この貫通孔３を通って浴水の水蒸気が浴槽７外（浴室）に漏れることが防止される。
【００４７】
次に、この風呂蓋Ａの貫通孔３に洗濯機Ｂの取水ホース２を接続する。図１に示すように、取水ホース２のジョイントヘッド部２１を把持しながら、風呂蓋Ａの貫通孔用部材８の接続口部８５にジョイントヘッド部２１の小径部２９を連結させる。すると、ジョイントヘッド部２１の押下片２３が開閉体６を下方に押し下げると共に、保持手段５の保持状態が解除される。保持手段５の保持状態が解除されると、吸込みホース４の上端に設けられた係止突部４１が、キャップ体４３の荷重及び吸込みホース４の自重により、下降して下係止部８７１に係止される。このとき、開閉体６と吸込みホース４の上端部とは離間しており、隙間が形成されている。そして、キャップ体４３の荷重及び吸込みホース４の自重により、吸込みホース４が伸張し、吸込みホース４の吸込み部４２が浴水中に浸漬される。
【００４８】
このとき、図１に示すように、吸込み部４２の開口と取水ホース２の開口とが連通した状態となっているため、洗濯機Ｂのポンプにより取水ホース２を介して洗濯機Ｂに浴水を取り込むことができる。
【００４９】
このように構成したことで、風呂蓋Ａが浴槽７に設置された状態のままであっても、該風呂蓋Ａを持ち上げたり移動させたりせずに、簡単に浴水を洗濯機Ｂに取り込むことができる。
【００５０】
また、吸込みホース４が長手方向に収縮可能とされているうえに、この吸込みホース４は貫通孔３に収納可能とされており、さらにこの収納状態を保持する保持手段５が設けられているから、吸込みホース４を使用しないときには、この吸込みホース４を目立たないように収納しておくことができる。
【００５１】
また、このように貫通孔３が設けられていても、この貫通孔３を閉塞する開閉体６が設けられているから、蒸発した浴水が貫通孔３を通って浴室内を高湿としてしまったり、風呂蓋Ａの保温効果を低下させてしまったりすることが防止される。
【００５２】
また、取水ホース２を貫通孔３に装着するだけで、貫通孔３を開いた状態とすることができるため、開閉体６を開放する動作を省くことができる。その上、取水ホース２を貫通孔３から離脱させるだけで開閉体６を閉じることができるため、取水ホース２を離脱した後に開閉体６を閉じる作業を行なう必要がない。この結果、開閉体６を設置し忘れることを防止できる。しかも、開閉体６を紛失してしまうこともない。
【００５３】
さらに、前記保持手段５が、取水ホース２が貫通孔３に装着されることで収納された吸込みホース４の保持状態を解除するように構成されているため、蓋本体１に吸込みホース４が収納された状態のままであっても、取水ホース２を貫通孔３に装着するだけで簡単に吸込みホース４を使用可能な状態とすることができる。
【００５４】
さらに、フィルター４５が吸込みホース４の先端部分に設けられているため、吸込みホース４が、収納された状態かあるいは取り出された状態かに拘らず、簡単にフィルター４５の掃除を行なうことが可能となる。
【００５５】
なお、上記実施形態において、取水ホース２が貫通孔３に装着されたときに開き且つ取水ホース２が貫通孔３から離脱されたときに閉じるように開閉体６が構成されているが、単に、風呂蓋Ａとは別体の蓋体が貫通孔３に取り付けられただけのものであってもよい。なお、このような場合には、取水ホース２の押下片２３が、収納された吸込みホース４の上端を押下するように構成すれば、取水ホース２を貫通孔３に取り付けることによって保持手段５の保持状態を解除するようにできる。
【００５６】
また、仮に、下フランジ片８３とキャップ体４３との保持が係合構造によりなされていたとしても、取水ホース２の装着に連動して、その係止が解除されるように構成すればよい。
【００５７】
さらに、本実施形態においては、吸込み部４２が浴槽７の底面と離間するように吸込みホース４の長さを調節していたが、例えば、吸込み部４２のキャップ体４３の下面に、浴槽７の底面と離間させるための凸部を複数箇所に突設して、吸込み部４２と浴槽７底面とに隙間が形成されるようにしてもよい。
【００５８】
以上、本発明の風呂蓋Ａの一例を説明した。このような風呂蓋Ａの使用例を図３に基づいて以下説明する。
【００５９】
本使用例の浴室は、ユニットタイプの浴室である。この浴室ユニットは、浴槽７を設置する浴槽用床パンと浴室の洗い場を構成する洗い場床パンとで構成される床パン７２の周囲に、壁パネル７３及びドア７４を有する出入り口枠を立設し、壁パネル７３及び出入り口枠で囲まれた部分の上端部に天井パネル７５を配設して構成してある。また、浴槽用床パン上には浴槽７が載設してあり、洗い場床パンと浴槽用床パンとの境界と、浴槽７のフランジとの間には、エプロン７６が配設されており、このエプロンは洗い場床パンの長手方向の全長に亘って形成されている。
【００６０】
浴槽７内には浴水が貯溜されているため、この浴槽７には常時、本発明の風呂蓋Ａが設置されている。
【００６１】
浴室ユニットには隣接して脱衣室Ｃが設けられている。この脱衣室Ｃには、洗濯機Ｂが取り付けられている。この洗濯機Ｂには、ポンプを介して浴水導入用の取水ホース２が取り付けられている。
【００６２】
洗濯機Ｂに浴水を取り込むに当たっては、取水ホース２の先端側を浴室内に持ち込む。そして、この取水ホース２を浴槽７に設置されたままの風呂蓋Ａの貫通孔３に上方から接続させる。すると、吸込みホース４が浴水中に浸漬される（図３（ａ））。この状態で、洗濯機Ｂの浴水取り込み用のポンプを駆動させて、洗濯機Ｂに浴水を取り込む。
【００６３】
洗濯機Ｂに浴水を取り込むことが終了したら、取水ホース２のジョイントヘッド部２１を把持して、風呂蓋Ａから取水ホース２を取り外し、再び洗濯機Ｂにこの取水ホース２を収納する。
【００６４】
このとき、取水ホース２の先端は浴水中に浸漬されていないから、水が付着していない。このため、洗濯機Ｂに取水ホース２を収納しても脱衣室Ｃの床が濡れてしまうのが防止される。
【符号の説明】
【００６５】
１      蓋本体
２      取水ホース
２１    ジョイントヘッド部
２２    押圧部材
２３    押下片
２４    取着片
２５    ホース当接面
２６    スリット
２７    被接続体
２８    大径部
２９    小径部
３      貫通孔
４      吸込みホース
４１    係止突部
４２    吸込み部
４３    キャップ体
４４    立上り片
４５    フィルター
５      保持手段
５１    ホース側保持手段
５２    貫通孔側保持手段
６      開閉体
７      浴槽
７１    浴槽の底面
８      貫通孔用部材
８１    上フランジ片
８２    筒体部
８３    下フランジ片
８４    内突条
８５    接続口部
８６    収納部
８７    内溝部
８７１  下係止部
８７２  上当接部
８８    開閉体当接面
８９    付勢手段
Ａ      風呂蓋
【図１】
2011024915.tif 000003
【図２】
2011024915.tif 000004
【図３】
2011024915.tif 000005